(57)【要約】      （修正有）【課題】調査対象の親子から継続的に情報を取得し、調査の離脱率を低減する親子健康管理システムを提供する。【解決手段】親子健康管理システムにおける親子健康分析装置２００は、センサ端末１０のセンサ出力及びモバイル端末２０に入力されたアンケートへの回答を受け付ける受付部２１０と、アンケートへの回答から親の生活情報及び子の生活情報を分析し、生活情報分析結果を生成するアンケート分析部２３０と、センサ出力に基づいて、親子の関係性、親の健康状態及び子の健康状態のを含むセンシング結果を生成するセンサ出力分析部２４０と、生活情報分析結果及びセンシング結果を予め定められた所定の基準と比較して、親子の状態、親の状態及び子の状態を推定する健康推定部と、推定された状態に対応するアンケート及びアドバイスを選択し、選択されたアンケート及びアドバイスをモバイル端末２０に出力する出力部２２０と、を備える。【選択図】図１
2022000744.tif 000002
【特許請求の範囲】
【請求項１】
親の状態及び子の状態の少なくとも一つをセンシングするセンサ端末と、
親の生活及び子の生活の少なくとも一つに関するデータが入力されるユーザ端末と、
前記センサ端末及び前記ユーザ端末が収集したデータを受信する分析装置とを備える親子健康管理システムであって、
前記分析装置は、
所定の演算処理を実行して以下の各機能部を実現する演算装置と、前記演算装置がアクセス可能な記憶装置とを有する計算機によって構成され、
前記センサ端末のセンサ出力及び前記ユーザ端末に入力されたアンケートへの回答を受け付ける受付部と、
前記アンケートへの回答から親の生活情報及び子の生活情報の少なくとも一つを分析し、生活情報分析結果を生成するアンケート分析部と、
前記センサ出力に基づいて、親子の関係性、親の健康状態及び子の健康状態の少なくとも一つを含むセンシング結果を生成するセンサ出力分析部と、
前記生活情報分析結果及び前記センシング結果を予め定められた所定の基準と比較して、親子の状態、親の状態及び子の状態の少なくとも一つを推定する健康推定部と、
前記推定された状態に対応するアンケート及びアドバイスを選択し、前記選択されたアンケート及びアドバイスを前記ユーザ端末に出力する出力部と、を備えることを特徴とする親子健康管理システム。
【請求項２】
請求項１に記載の親子健康管理システムであって、
前記健康推定部は、前記センシング結果から、親子の密接度が所定の閾値より低い場合に、親が鬱の可能性があると推定することを特徴とする親子健康管理システム。
【請求項３】
請求項１に記載の親子健康管理システムであって、
前記出力部は、前記センシング結果から親に余裕があると特定された時間帯に、前記選択されたアンケートを前記ユーザ端末に配信する配信タイミング制御部を有することを特徴とする親子健康管理システム。
【請求項４】
請求項１に記載の親子健康管理システムであって、
前記出力部は、前記アンケートへの回答基準を満たしたユーザに賞を付与するマスタ付与部を有することを特徴とする親子健康管理システム。
【請求項５】
請求項１に記載の親子健康管理システムであって、
前記出力部は、アンケートに対して有効な回答が得られない可能性がある場合に、有効な回答が得られる可能性が高いユーザにアンケートを配信することを特徴とする親子健康管理システム。
【請求項６】
請求項１に記載の親子健康管理システムであって、
前記ユーザ端末は、ユーザが購入した商品に表示されたリンクを読み取って、当該リンクにアクセスし、
前記アンケート分析部は、当該リンクに従ってユーザが入力したアンケートの結果を分析することを特徴とする親子健康管理システム。
【請求項７】
請求項１に記載の親子健康管理システムであって、
前記出力部は、
前記健康推定部が推定した親子の状態、親の状態及び子の状態の各々に対応するラベルを特定し、
前記特定されたラベルに従って、前記ユーザ端末に送信するアンケート及びアドバイスを選択し、
前記ラベルに付された優先度に従って一つのラベルを選択し、
前記選択されたラベルに対応するアンケート及びアドバイスを出力することを特徴とする親子健康管理システム。
【請求項８】
所定の演算処理を実行して以下の各機能部を実現する演算装置と、前記演算装置がアクセス可能な記憶装置とを有する計算機によって構成される親子健康分析装置であって、
センサ端末は、親の状態及び子の状態の少なくとも一つをセンシングし、
ユーザ端末は、親の生活及び子の生活の少なくとも一つに関するデータの入力を受け付け、
前記親子健康分析装置は、
前記センサ端末のセンサ出力及び前記ユーザ端末に入力されたアンケートへの回答を受け付ける受付部と、
前記アンケートへの回答から親の生活情報及び子の生活情報の少なくとも一つを分析し、生活情報分析結果を生成するアンケート分析部と、
前記センサ出力に基づいて、親子の関係性、親の健康状態及び子の健康状態の少なくとも一つを含むセンシング結果を生成するセンサ出力分析部と、
前記生活情報分析結果及び前記センシング結果を予め定められた所定の基準と比較して、親子の状態、親の状態及び子の状態の少なくとも一つを推定する健康推定部と、
前記推定された状態に対応するアンケート及びアドバイスを選択し、前記選択されたアンケート及びアドバイスを前記ユーザ端末に出力する出力部と、を備えることを特徴とする親子健康分析装置。
【請求項９】
親子健康管理システムが実行する親子健康管理方法であって、
前記親子健康管理システムは、
親の状態及び子の状態の少なくとも一つをセンシングするセンサ端末と、
親の生活及び子の生活の少なくとも一つに関するデータが入力されるユーザ端末と、
前記センサ端末及び前記ユーザ端末が収集したデータを受信し、所定の演算処理を実行する演算装置と、前記演算装置がアクセス可能な記憶装置とを有する計算機によって構成される分析装置とを有し、
前記親子健康管理方法は、
前記分析装置が、前記センサ端末のセンサ出力及び前記ユーザ端末に入力されたアンケートへの回答を受け付ける受付手順と、
前記分析装置が、前記アンケートへの回答から親の生活情報及び子の生活情報の少なくとも一つを分析し、生活情報分析結果を生成するアンケート分析手順と、
前記分析装置が、前記センサ出力に基づいて、親子の関係性、親の健康状態及び子の健康状態の少なくとも一つを含むセンシング結果を生成するセンサ出力分析手順と、
前記分析装置が、前記生活情報分析結果及び前記センシング結果を予め定められた所定の基準と比較して、親子の状態、親の状態及び子の状態の少なくとも一つを推定する健康推定手順と、
前記分析装置が、前記推定された状態に対応するアンケート及びアドバイスを選択し、前記選択されたアンケート及びアドバイスを前記ユーザ端末に出力する出力手順と、を備えることを特徴とする親子健康管理方法。
【発明の詳細な説明】
【技術分野】
【０００１】
本発明は、親子の健康を分析及び管理するシステムに関する。
【背景技術】
【０００２】
子どもの健全な発育を手助けすることなどを目的に、妊娠中から産後の母親と新生児から学童までの子どもの生活習慣や健康状態を調査する母子健康調査が行われている。
【０００３】
本技術分野の背景技術として、以下の先行技術がある。特許文献１（特開２０１１−１０８１４２号公報）には、出力画面生成部は質問情報を表示する出力画面を生成し、ユーザ端末に表示させてユーザに提示する。情報取得部は、質問情報に対するユーザの回答を示す回答情報とユーザの生体情報とを取得し、情報記憶部は、質問情報と回答情報と回答情報に対応する生体情報とを対応付けて記憶する。回答判定部は、回答情報に対応するユーザの生体情報に基づいて再質問を行うか否かを判定し、回答判定部が再質問を行うと判定した場合、出力画面生成部は、再質問情報を表示する出力画面を生成し、ユーザ端末に表示させてユーザに提示するプロファイリング装置が記載されている（要約参照）。
【先行技術文献】
【特許文献】
【０００４】
【特許文献１】特開２０１１−１０８１４２号公報
【発明の概要】
【発明が解決しようとする課題】
【０００５】
前述した母子健康調査は、長期間の調査であるため、途中離脱する母子がいる。母親や子どもの生活習慣情報の取得にはアンケートが有効であるが、食生活などのアンケートは、回答の煩雑さからメリットよりも面倒さが上回り、継続的な情報取得が困難となっている。特に、予め決められた質問を決められたタイミングで配信するため、質問数が多く、参加者が面倒と感じた離脱者を引き留めて、離脱率の低減が求められている。
【０００６】
そこで、本発明では、調査対象の親子から継続的に情報を取得し、調査の離脱率を低減するソリューションの提供を目的とする。
【課題を解決するための手段】
【０００７】
本願において開示される発明の代表的な一例を示せば以下の通りである。すなわち、親の状態及び子の状態の少なくとも一つをセンシングするセンサ端末と、親の生活及び子の生活の少なくとも一つに関するデータが入力されるユーザ端末と、前記センサ端末及び前記ユーザ端末が収集したデータを受信する分析装置とを備える親子健康管理システムであって、前記分析装置は、所定の演算処理を実行して以下の各機能部を実現する演算装置と、前記演算装置がアクセス可能な記憶装置とを有する計算機によって構成され、前記センサ端末のセンサ出力及び前記ユーザ端末に入力されたアンケートへの回答を受け付ける受付部と、前記アンケートへの回答から親の生活情報及び子の生活情報の少なくとも一つを分析し、生活情報分析結果を生成するアンケート分析部と、前記センサ出力に基づいて、親子の関係性、親の健康状態及び子の健康状態の少なくとも一つを含むセンシング結果を生成するセンサ出力分析部と、前記生活情報分析結果及び前記センシング結果を予め定められた所定の基準と比較して、親子の状態、親の状態及び子の状態の少なくとも一つを推定する健康推定部と、前記推定された状態に対応するアンケート及びアドバイスを選択し、前記選択されたアンケート及びアドバイスを前記ユーザ端末に出力する出力部と、を備えることを特徴とする。
【発明の効果】
【０００８】
本発明の一態様によれば、アンケートへ回答するユーザの負担を低減して、調査の離脱率を低減できる。前述した以外の課題、構成及び効果は、以下の実施例の説明によって明らかにされる。
【図面の簡単な説明】
【０００９】
【図１】実施例１の親子健康分析装置の構成の一例を示す図である。
【図２】実施例１のアンケートテーブルの構成の一例を示す図である。
【図３】実施例１のアドバイステーブルの構成の一例を示す図である。
【図４】実施例２の親子健康分析装置の構成の一例を示す図である。
【図５】実施例２における商品のバーコードの読み取りを示す図である。
【発明を実施するための形態】
【００１０】
以下に、図面を参照して本発明の親子健康管理システムの実施例を説明する。
【００１１】
＜実施例１＞
図１は、実施例１の親子健康分析システムの構成の一例を示す図である。
【００１２】
実施例１の親子健康管理システムは、親子健康分析装置２００と、センサ端末１０と、モバイル端末２０とを含む。親子健康分析装置２００は、家庭内の生活空間をセンシングするセンサ端末１０及び親（父、母の少なくとも一方）及び子を構成員とする家族が使用するモバイル端末２０と接続する。以下の説明では、家族の構成員を区別しない場合、ユーザと記載する。
【００１３】
センサ端末１０は、家庭内などの生活空間に設置されるセンサであって、ユーザの状態を検出して、センサ出力を送信する。センサ端末１０は、例えば、生活空間を撮影するカメラ、生活空間の音を検出するマイクロホン（例えばＡＩスピーカ、スマートスピーカ）、装着したユーザの活動量や心拍を測定するウェアラブルデバイス、ユーザが装着する血圧計などである。ユーザの活動量は、ウェアラブルデバイスが測定した加速度から計算できる。また、ベッドに敷設するマット状の活動量計を用いて、就寝中のユーザやベッドにいる乳幼児の活動量を測定してもよい。センサ端末１０には、加速度と音声とセンサ端末間の対面関係を同時に取得可能な名札型デバイスを用いてもよい。
【００１４】
なお、センサ端末１０は、生活空間におけるユーザのデータを取得するので、プライバシー保護の観点から、取得したデータを匿名化したり、カメラ映像を骨格モデルに変換したり、利用に同意したユーザのみのデータを取得するとよい。
【００１５】
モバイル端末２０は、スマートフォン、タブレット端末等のユーザが使用する端末である。ユーザは、モバイル端末２０を用いて、アンケートの回答を入力する。例えば、父親又は母親が、子育てに関するアンケートへの回答（例えば、選択肢への回答、質問に対するテキストによる回答）を入力する。なお、モバイル端末２０の代わりに、パーソナルコンピュータや双方向テレビジョンなども使用できる。
【００１６】
親子健康分析装置２００は、センサ端末１０及びモバイル端末２０と、ＷＡＮ（Ｗｉｄｅ  Ａｒｅａ  Ｎｅｔｗｏｒｋ）及びＬＡＮ（Ｌｏｃａｌ  Ａｒｅａ  ｎｅｔｗｏｒｋ）等のネットワークを介して接続される。ネットワークの接続方式は、有線及び無線のいずれでもよい。なお、親子健康分析装置２００は、センサ端末１０と直接接続されても、コンシューマ向けデバイス企業（例えば、スマートスピーカを販売するＩＴプラットフォーマ）のサーバ３００を介して接続されてもよい。
【００１７】
親子は、産婦人科などの医療機関を受診して、健診結果を得ている。
【００１８】
親子健康分析装置２００は、受付部２１０、出力部２２０、アンケート分析部２３０、センサ出力分析部２４０、及び親子健康推定部２５０を有し、所定のプログラムを実行することによって、親子の健康を分析する。
【００１９】
受付部２１０は、センサ端末１０から家庭内のユーザの状態を検出したセンサ出力を受信し、センサ出力分析部２４０に出力する。また、受付部２１０は、モバイル端末２０からユーザが入力したアンケートの回答を受信し、アンケート分析部２３０に出力する。すなわち、アンケートの回答は、選択肢への回答番号及び質問に対するテキストによる回答の形式でモバイル端末２０に入力され、受付部２１０を経由してアンケート分析部２３０に転送される。
【００２０】
アンケート分析部２３０は、受信したアンケートの回答を分析し、生活情報分析結果を出力する。生活情報分析結果は、親や子の食事内容や食事時間などのセンサ端末１０で取得できない情報を含むとよい。また、未入力項目の数や割合、回答の傾向など、統計的手法を用いて回答を分析する。また、アンケートの回答を受信した時刻を分析する。時刻は、１時間単位でも、朝か昼か夜かなどの時間帯に分類してもよい。
【００２１】
また、アンケート分析部２３０は、ユーザが入力した回答を所定の回答要求基準と比較して、回答の有効性を判定するとよい。具体的には、当該アンケートへの回答数又は回答率が統計的に有効な値に達しており、信頼できる結果が得られているかを判定するとよい。また、アンケートの回答が全て中位（１から５の５段階の選択肢のうち３）のユーザは、アンケートに正確に回答していないと推定して、当該アンケート結果を除外するとよい。また、利用者が入力した回答を回答傾向と比較するとよい。具体的には、類似の質問に関する以前の回答と齟齬があるか、同じアンケートに回答した他ユーザとの回答のズレがあるか等によって、アンケート回答の異常を検出するとよい。
【００２２】
センサ出力分析部２４０は、センサ端末１０から受付部２１０に入力されたセンサ出力を分析し、センシング結果を出力する。センシング結果は、親子の関係性、親の健康状態、及び子の健康状態の少なくとも一つを含む。例えば、センサ出力であるカメラ映像から親と子を認識し、親子の距離を計算する。また、マイクが取得した音声によって子が泣いている時間を計測する。また、ウェアラブルデバイスが計測した親及び子の活動量から、親の状態及び子の状態（行動中、就寝中など）を推定する。また、ウェアラブルデバイスが計測した親及び子の心拍数から、親子がリラックスしている時間（時刻、時間帯など）、緊張している時間（時刻、時間帯など）を計算する。
【００２３】
親子健康推定部２５０は、アンケートの回答及びセンサ出力を総合的に分析し、親子の健康状態及び親子の関係性を推定する。健康状態及び関係性は、各々複数の指標があり、各指標の数値が計算される。各指標の数値は２値でもよく、０から１の任意の小数で程度を決定してもよい。親子健康推定部２５０は、計算された各指標の数値と所定の閾値との比較によってラベルに該当するかを決定する。ラベルは、親の健康状態、子の健康状態及び親子の関係性の少なくとも一つに対応する状態であり、例えば、産後鬱、アレルギー、喘息、低体重、発達遅れなどである。具体的には、産後鬱というラベルについて、親子の距離が所定以上離れている時間が所定以上多く、親子の密接度が低く（例えば、親子が密接している時間が所定の閾値より短い）、母親が子の面倒を十分に見ていないと判定される場合、ネグレクトや産後鬱の可能性があると推定できる。また、食物に関するアンケート回答から子のアレルギーの有無を推定してもよい。また、健診結果（身長、体重）に関するアンケート回答から、子の低体重を推定してもよい。さらに、子の活動量や発声の状況から、発達度合を推定してもよい。
【００２４】
出力部２２０は、アンケート選択部２２１、アンケートテーブル２２２、アドバイス生成部２２３、及びアドバイステーブル２２４を有する。
【００２５】
アンケート選択部２２１は、図２に示すアンケートテーブル２２２を参照して、親子健康推定部２５０が推定した健康状態及び関係性に基づいて、ユーザに送信するアンケートを決定する。ユーザに送信されるアンケートは、親子の健康状態を推定するために必要な健診結果、日常生活の様子、親子の食事内容などに関する質問を含む。アンケートテーブル２２２は、推定された健康状態及び関係性の条件と、ユーザに送信されるアンケートが対応付けて記録されている。アンケートテーブル２２２の項目のうちラベルは、推定された健康状態及び関係性から判定される親子の状態を示し、前述したように、ラベルには産後鬱、アレルギー、喘息、低体重、発達遅れなどが含まれ、親子健康推定部２５０が推定結果としてラベルに該当するかを決定する。なお、アンケート選択部２２１が、親子健康推定部２５０の推定結果に基づいてラベルに該当するかを決定してもよい。
【００２６】
アンケートテーブル２２２のうち、アンケート内容は、ラベルに対応して定められており、例えば、「食品Ａはいつ頃食べ始めましたか？」、「子どもとの生活は楽しいですか？」などがある。優先度は、複数のアンケートをユーザに送信する場合に、提示するアンケートを絞り込んだり、アンケートを提示する順序を定めるために用いられる指標である。例えば、早期に対応すべき状況や、重症化の可能性が高い事象の端緒である場合に、ユーザに送付するアンケートには高い優先度が設定される。優先度はラベル毎に設定されてもよい。宛先は、アンケートで有効な回答を得るために送付する宛先である。例えば、通常はアンケートを母親宛に送信するが、産後鬱が推定される場合にはアンケートを母親に送信しても有効な回答が得られない可能性がある。このため、アンケートを父親に送信して、有効な回答が得られるようにするとよい。また、アンケートテーブル２２２を用いずに、推定された健康状態及び関係性を説明変数とした重回帰分析によってアンケートを決定したり、人工知能によるニューラルネットワークを用いてアンケートを選択してもよい。
【００２７】
アドバイス生成部２２３は、図３に示すアドバイステーブル２２４を参照して、親子健康推定部２５０が推定した健康状態及び関係性に基づいて、ユーザに送信するアドバイスを決定する。アドバイス生成部２２３は、アンケート選択部２２１によって選択されたアンケートと関連するアドバイスを決定するとよい。ユーザに送信されるアドバイスは、親子の健康を向上させる生活アドバイスや、親子の健康状態に基づいて摂取が推奨される食品に関するアドバイスなどを含む。アドバイステーブル２２４は、推定された健康状態及び関係性の条件と、ユーザに送信されるアドバイスが対応付けて記録されている。また、アドバイステーブル２２４を用いずに、推定された健康状態及び関係性を説明変数とした重回帰分析によってアドバイスを決定したり、人工知能によるニューラルネットワークを用いてアドバイスを選択してもよい。なお、システムの管理者によりアドバイステーブル２２４の内容の追加や修正をできるようにしてもよい。
【００２８】
なお、親子健康推定部２５０を設けなくてもよい。この場合、アンケート選択部２２１がアンケート分析部２３０及びセンサ出力分析部２４０の分析結果からユーザに送信するアンケートを決定し、アンケート選択部２２１がアンケート分析部２３０及びセンサ出力分析部２４０の分析結果からユーザに送信するアンケートを決定する。例えば、推定された健康状態及び関係性を説明変数とした重回帰分析によってアンケートを決定したり、人工知能によるニューラルネットワークを用いてアンケートを選択してもよい。また、アドバイス生成部２２３がアンケート分析部２３０及びセンサ出力分析部２４０の分析結果からユーザに送信するアドバイスを決定する。例えば、推定された健康状態及び関係性を説明変数とした重回帰分析によってアドバイスを決定したり、人工知能によるニューラルネットワークを用いてアドバイスを選択してもよい。
【００２９】
親子健康分析装置２００は、図示を省略するプロセッサ（ＣＰＵ）、メモリ、補助記憶装置及び通信インターフェースを有する計算機によって構成される。親子健康分析装置２００は、オペレータがデータを入出力するための入出力インターフェースを有してもよい。
【００３０】
プロセッサは、メモリに格納されたプログラムを実行する演算装置である。プロセッサが、各種プログラムを実行することによって、親子健康分析装置２００の各部（例えば、受付部２１０、出力部２２０、アンケート分析部２３０、センサ出力分析部２４０、親子健康推定部２５０など）による機能が実現される。なお、プロセッサがプログラムを実行して行う処理の一部を、他の演算装置（例えば、ＡＳＩＣ、ＦＰＧＡ等のハードウェア）で実行してもよい。
【００３１】
メモリは、不揮発性の記憶素子であるＲＯＭ及び揮発性の記憶素子であるＲＡＭを含む。ＲＯＭは、不変のプログラム（例えば、ＢＩＯＳ）などを格納する。ＲＡＭは、ＤＲＡＭ（Dynamic Random Access Memory）のような高速かつ揮発性の記憶素子であり、プロセッサが実行するプログラム及びプログラムの実行時に使用されるデータを一時的に格納する。
【００３２】
補助記憶装置は、例えば、磁気記憶装置（ＨＤＤ）、フラッシュメモリ（ＳＳＤ）等の大容量かつ不揮発性の記憶装置である。また、補助記憶装置は、プロセッサがプログラムの実行時に使用するデータ（例えば、アンケートテーブル２２２、アドバイステーブル２２４など）、及びプロセッサが実行するプログラムを格納する。すなわち、プログラムは、補助記憶装置から読み出されて、メモリにロードされて、プロセッサによって実行されることによって、親子健康分析装置２００の各機能を実現する。
【００３３】
通信インターフェースは、所定のプロトコルに従って、他の装置との通信を制御するネットワークインターフェース装置である。
【００３４】
入出力インターフェースは、キーボードやマウスなどの入力装置が接続され、オペレータからの入力を受けるインターフェースであるが、音声入力などに対応するものでもよい。出力インターフェースは、ディスプレイ装置やプリンタ（図示省略）などの出力装置が接続され、プログラムの実行結果をオペレータが視認可能な形式で出力するインターフェースである。なお、親子健康分析装置２００にネットワークを介して接続された端末が入力装置及び出力装置を提供してもよい。この場合、親子健康分析装置２００がウェブサーバの機能を有し、端末が親子健康分析装置２００に所定のプロトコル（例えばｈｔｔｐ）でアクセスしてもよい。
【００３５】
親子健康分析装置２００のプロセッサが実行するプログラムは、リムーバブルメディア（ＣＤ−ＲＯＭ、フラッシュメモリなど）又はネットワークを介して親子健康分析装置２００に提供され、非一時的記憶媒体である不揮発性の補助記憶装置に格納される。このため、親子健康分析装置２００は、リムーバブルメディアからデータを読み込むインターフェースを有するとよい。
【００３６】
親子健康分析装置２００は、物理的に一つの計算機上で、又は、論理的又は物理的に構成された複数の計算機上で構成される計算機システムであり、複数の物理的計算機資源上に構築された仮想計算機上で動作してもよい。
【００３７】
以上に説明したように、本発明の実施例１によると、親子をセンシングした結果とアンケート回答などから推定した親子の健康情報及び関係性から、適切なアンケート及びアドバイスを選択して配信するので、当該親子に適するアンケートやアドバイスに限定してモバイル端末２０に配信でき、アンケートへ回答するユーザの負担を低減でき、母子健康調査の離脱率を低減できる。
【００３８】
また、親子健康推定部２５０が、アンケートの回答及びセンサ出力を総合的に分析し、親子の健康状態及び親子の関係性に対応するラベル（産後鬱、アレルギー、喘息、低体重、発達遅れなど）を判定するので、医療機関で診断を受けることなく、注意すべき状態の兆候を検出できる。また、ラベルを用いることによって、特定の注意すべき状態を確実に検出できる。
【００３９】
＜実施例２＞
次に、本発明の実施例２を説明する。実施例２の親子健康分析装置２００は、前述した実施例１に親子マスタ付与部２２５及び配信タイミング制御部２２６が追加されている。なお、実施例２において、前述した実施例１と同じ機能及び構成は同じ符号を付し、それらの説明は省略する。
【００４０】
図４は、実施例２の親子健康分析装置の構成の一例を示す図である。
【００４１】
実施例２の親子健康管理システムは、親子健康分析装置２００と、センサ端末１０と、モバイル端末２０とを含み、親子健康分析装置２００はセンサ端末１０及びモバイル端末２０とネットワークを介して接続される。親子健康分析装置２００は、受付部２１０、出力部２２０、アンケート分析部２３０、センサ出力分析部２４０、及び親子健康推定部２５０を有する。出力部２２０は、アンケート選択部２２１、アンケートテーブル２２２、アドバイス生成部２２３、アドバイステーブル２２４、親子マスタ付与部２２５及び配信タイミング制御部２２６を有する。
【００４２】
配信タイミング制御部２２６は、アンケート選択部２２１が選択したアンケートをモバイル端末２０に配信するタイミングを制御する。従来の方法では、運営側が定めたタイミングでアンケートを配信するため、育児などで忙しいタイミングと配信タイミングが重なると、アンケートの閲覧や回答が面倒になり、アンケートへの回答が後回しになって、母子健康調査から離脱する可能性が高くなり、調査継続が困難となる。このため、配信タイミング制御部２２６は、センサ端末１０によるセンサ出力から、ユーザの状態を推定し、ユーザに余裕がある時間帯にアンケートを配信するように配信タイミングを制御する。
【００４３】
例えば、配信タイミング制御部２２６は、日々のユーザの活動量を時間軸で統計処理して、起きている間で活動量が小さい時間帯を選択してアンケートを配信してもよい。また、親子の距離を時間軸で統計処理して、親子の密接度が低い時間帯を選択してアンケートを配信してもよい。また、過去にアンケートに回答した時間に近い時間（例えば前後２時間）にアンケートを配信してもよい。また、ユーザが起きている間で、センシングされたリアルタイムの活動量が小さい時間にアンケートを配信してもよい。また、リアルタイムに親子の距離が離れており、親子の密接度が低い時間にアンケートを配信してもよい。また、子どもが泣いていないタイミングにアンケートを配信してもよい。さらに、これらの複数の基準を組み合わせて、例えば、過去の活動量が低い時間帯で、リアルタイムで親子の関係性が低い時間帯にアンケートを配信してもよい。
【００４４】
このように、配信タイミング制御部２２６がアンケートの配信タイミングを制御することによって、ユーザ基準の時間にアンケートを配信でき、ユーザの負担を低減でき、母子健康調査における途中離脱を抑制できる。
【００４５】
親子マスタ付与部２２５は、アンケートへの回答基準を満たした家族に賞（アワード）を付与する。アワードを付与するための回答基準は、例えば、不適切な回答（全項目に同じ回答、矛盾した回答）が少なく、真面目に回答していることや、長期間（例えば５年以上）回答を続けている等である。アワードが付与されると、例えば、母子健康調査の対象者が参加するコミュニティにて上位者やランキングが表示されたり、商品やサービスの優待券が付与されたり、該当者専用のサービスを提供してもよい。出力部２２０は、ユーザが優待や専用サービスを受けるために、付与されたアワードの情報をサードパーティ企業に提供してもよい。
【００４６】
このように、親子マスタ付与部２２５がユーザにアワードを付与することによって、ランクアップによるゲーム性やユーザの利益をアンケートへの回答に付与し、社会貢献によってアンケート回答への意欲を増大できる。
【００４７】
また、実施例２の出力部２２０は、アワードの情報だけでなく、アンケートやセンシングによって得られた情報（いわゆるビッグデータ）をサードパーティ企業に提供してもよい。
【００４８】
また、実施例２において、母子健康調査に協賛するコンシューマ向け企業（例えば、乳製品製造会社、菓子製造会社などの食料品製造・販売会社）が配信したアンケートを、本実施例の親子健康分析装置２００で処理可能としてもよい。例えば、図５に示すように、コンシューマ向け食料品企業が販売する商品のパッケージにアンケートへ回答するためのリンク（例えば、二次元バーコード）を表示しておき、この商品を購入したユーザがモバイル端末２０を用いて当該リンクを読み取ってアクセスした回答ページでアンケートに回答する。そして、親子健康分析装置２００のアンケート分析部２３０が、この回答を処理する。このように、コンシューマ向け食料品企業が商品を介して独自のアンケートにユーザを誘導でき、自社製品に対するユーザ評価を収集できる。
【００４９】
なお、本発明は前述した実施例に限定されるものではなく、添付した特許請求の範囲の趣旨内における様々な変形例及び同等の構成が含まれる。例えば、前述した実施例は本発明を分かりやすく説明するために詳細に説明したものであり、必ずしも説明した全ての構成を備えるものに本発明は限定されない。また、ある実施例の構成の一部を他の実施例の構成に置き換えてもよい。また、ある実施例の構成に他の実施例の構成を加えてもよい。また、各実施例の構成の一部について、他の構成の追加・削除・置換をしてもよい。
【００５０】
また、前述した各構成、機能、処理部、処理手段等は、それらの一部又は全部を、例えば集積回路で設計する等により、ハードウェアで実現してもよく、プロセッサがそれぞれの機能を実現するプログラムを解釈し実行することにより、ソフトウェアで実現してもよい。
【００５１】
各機能を実現するプログラム、テーブル、ファイル等の情報は、メモリ、ハードディスク、ＳＳＤ（Ｓｏｌｉｄ  Ｓｔａｔｅ  Ｄｒｉｖｅ）等の記憶装置、又は、ＩＣカード、ＳＤカード、ＤＶＤ等の記録媒体に格納することができる。
【００５２】
また、制御線や情報線は説明上必要と考えられるものを示しており、実装上必要な全ての制御線や情報線を示しているとは限らない。実際には、ほとんど全ての構成が相互に接続されていると考えてよい。
【符号の説明】
【００５３】
１０  センサ端末
２０  モバイル端末
２００  親子健康分析装置
２１０  受付部
２２０  出力部
２２１  アンケート選択部
２２２  アンケートテーブル
２２３  アドバイス生成部
２２４  アドバイステーブル
２２５  親子マスタ付与部
２２６  配信タイミング制御部
２３０  アンケート分析部
２４０  センサ出力分析部
２５０  親子健康推定部
３００  コンシューマ向けデバイス企業のサーバ
【図１】
2022000744.tif 000003
【図２】
2022000744.tif 000004
【図３】
2022000744.tif 000005
【図４】
2022000744.tif 000006
【図５】
2022000744.tif 000007